(57)【要約】【課題】結露水等が落下してくることを防止できる換気扇カバー構造を提供すること。【解決手段】壁パネル１２ｂ等の上端部に組み付けられた天井パネル１３ｂにおける壁パネル１２ｂの近傍に開口部２１ａを設けて、開口部２１ａに換気扇２３を取り付けた。そして、開口部２１ａの下方に、換気扇２３からの落水を受けるための換気扇カバー２４を取り付けて換気扇カバー構造２０を構成した。また、換気扇カバー２４を、上面における壁パネル１２ｂ側が下方になるように傾斜させて取り付けるとともに、換気扇カバー２４の上面における下端側に、堰２５ｂを設け、堰２５ｂに孔２６を設けた。さらに、換気扇カバー２４の上面に、換気扇カバー２４の上面に溜まる水を換気扇カバー２４の下端部側に流すための溝部２７を設けた。【選択図】  図２
2004324918.tif 000002
【特許請求の範囲】
【請求項１】
壁パネルの上端部に組み付けられた天井パネルにおける前記壁パネルの近傍に開口部を設けて、前記開口部に換気扇を取り付け、前記換気扇の下方に、前記換気扇からの落水を受けるための板状の換気扇カバーを取り付けて構成される浴室の換気扇カバー構造であって、前記換気扇カバーを、上面における前記壁パネル側が下方になるように傾斜させて取り付けるとともに、前記換気扇カバーの上面における下端側に、前記換気扇カバーの上面に落下する水を壁パネルの表面に流すための流水手段を設けたことを特徴とする浴室の換気扇カバー構造。
【請求項２】
前記換気扇カバーにおける壁パネル側の端部に堰を設け、前記堰における前記換気扇カバーの上面側部分と前記壁パネル側部分との間に貫通する孔を設けることにより前記流水手段を構成した請求項１に記載の換気扇カバー構造。
【請求項３】
前記換気扇カバーの下端側の端面と、前記天井パネルにおける前記壁パネルの近傍部分または前記壁パネルとを対向させ、前記換気扇カバーの端面に縦溝を形成することにより前記流水手段を構成した請求項１に記載の換気扇カバー構造。
【請求項４】
前記換気扇カバーにおける壁パネル側の端部と、前記天井パネルにおける前記壁パネルの近傍部分または前記壁パネルとの間に隙間を設け、前記隙間に水を吸収する水吸収体を配置することにより前記流水手段を構成した請求項１に記載の換気扇カバー構造。
【請求項５】
前記換気扇カバーの上面に、換気扇カバーの上面に溜まる水を前記換気扇カバーの下端部側に流すための溝部を設けた請求項１ないし４のうちのいずれか一つに記載の換気扇カバー構造。
【発明の詳細な説明】
【０００１】
【発明の属する技術分野】
本発明は、浴室の天井パネルに設けられた換気扇からの落水を防止するための換気扇カバー構造に関する。
【０００２】
【従来の技術】
従来から、浴室の天井部には、換気扇を設けて、浴室内の湯気を外部に排出したり外部の空気を取り込んだりすることができるようにしている（例えば、特許文献１参照）。この換気扇は、天井部に設けられた開口部の上方に取り付けられ、開口部には、複数の長穴からなる換気孔が設けられた換気扇カバーが取り付けられている。このため、換気扇を作動させると、浴室内の湯気や空気が換気孔を介して外部に放出される。
【０００３】
【特許文献１】
特開２０００−２０５６１８号公報
【０００４】
【発明が解決しようとする課題】
しかしながら、前述した従来の換気扇カバーでは、換気扇や開口部の近傍で結露した水やシャワーから散水された水等が換気扇カバーの上面に溜まると滴となって換気孔から落下してくる。この落水が、入浴者の頭部や体に当たると、入浴者はこの落水を不快に感じるという問題がある。
【０００５】
【発明の概要】
本発明は、上記問題に対処するためになされたもので、その目的は、結露水等が落下してくることを防止できる浴室の換気扇カバー構造を提供することである。
【０００６】
上記の目的を達成するため、本発明にかかる換気扇カバー構造の構成上の特徴は、壁パネルの上端部に組み付けられた天井パネルにおける壁パネルの近傍に開口部を設けて、開口部に換気扇を取り付け、換気扇の下方に、換気扇からの落水を受けるための板状の換気扇カバーを取り付けて構成される浴室の換気扇カバー構造であって、換気扇カバーを、上面における壁パネル側が下方になるように傾斜させて取り付けるとともに、換気扇カバーの上面における下端側に、換気扇カバーの上面に落下する水を壁パネルの表面に流すための流水手段を設けたことにある。
【０００７】
前記のように構成した本発明に係る浴室の換気扇カバー構造では、換気扇カバーの上面を、壁パネル側の端部が他方の端部よりも下方に位置するように傾斜させている。このため、換気扇や天井パネルから換気扇カバーの上面に落下する水は、換気扇カバーの上面における壁パネル側の端部に向って流れていく。また、その換気扇カバーの上面における下端部に、流れてきた水を壁パネルの表面に流すための流水手段を設けている。
【０００８】
したがって、換気扇等から落下する水は、そのまま洗い場フロアや浴槽に向かって落下することなく、壁パネルに伝わって洗い場フロアに流れていく。これによって、落水が不用意に入浴者に当たって入浴者が不快になることを防止できる。また、この場合の流水手段は、換気扇カバーの上面に溜まる水を直接壁パネルの表面に流せるものでも、換気扇カバーから天井パネルを介して壁パネルに流せるものでもよい。
【０００９】
また、本発明にかかる浴室の換気扇カバー構造の他の構成上の特徴は、換気扇カバーにおける壁パネル側の端部に堰を設け、堰における換気扇カバーの上面側部分と壁パネル側部分との間に貫通する孔を設けることにより流水手段を構成したことにある。
【００１０】
この場合、換気扇カバーの端部と、天井パネルの壁パネル側部分または壁パネルとの間には、水が通過するための僅かな隙間を設けておくか、換気扇カバーの端部と壁パネル側部分との間に水を通過させるための溝等を設けておく。これによると、水は換気扇カバーの上面から天井パネルを介して壁パネルの表面、または直接壁パネルの表面に流れていくようになり、そのまま洗い場フロアや浴槽に向かって落下することを防止できる。この場合、堰は、換気扇カバーにおける壁パネル側の端部だけでなく、換気扇カバーの上面の周囲すべてに設けることが好ましい。これによると、換気扇カバーの上面に落下した水が孔以外の部分から落下することを防止できる。
【００１１】
また、本発明にかかる浴室の換気扇カバー構造のさらに他の構成上の特徴は、換気扇カバーの下端側の端面と、天井パネルにおける壁パネルの近傍部分または壁パネルとを対向させ、換気扇カバーの端面に縦溝を形成することにより流水手段を構成したことにある。これによると、換気扇カバーの上面における下端側に流れてきた水は、縦溝内を通過して天井パネルを介して壁パネルの表面に流れるか、または直接壁パネルの表面に流れていく。このため、換気扇カバーの端面に縦溝を設けるだけの簡単な構造で流水手段を形成することができる。
【００１２】
また、本発明にかかる浴室の換気扇カバー構造のさらに他の構成上の特徴は、換気扇カバーにおける壁パネル側の端部と、天井パネルにおける壁パネルの近傍部分または壁パネルとの間に隙間を設け、隙間に水を吸収する水吸収体を配置することにより流水手段を構成したことにある。
【００１３】
これによると、換気扇カバーの上面における下端部に流れてきた水は、水吸収体に吸収され、水吸収体内における下部側に移動したのちに、壁パネルに沿って、または天井パネルを介して壁パネルに沿って下方に流れる。これによっても、そのまま洗い場フロアや浴槽に向かって落下することを防止して壁パネルを介して排水することができる。また、この場合の水吸収体としては、種々のものを使用できるが、スポンジのような発泡体が、取り付けが容易で、かつ良好な効果を奏するため好ましい。
【００１４】
また、本発明にかかる浴室の換気扇カバー構造のさらに他の構成上の特徴は、換気扇カバーの上面に、換気扇カバーの上面に溜まる水を換気扇カバーの下端部側に流すための溝部を設けたことにある。これによると、換気扇から換気扇カバーに落下した水がスムーズに換気扇カバーの下部側に流れていくようになり、水が溜まって換気扇カバーが汚れることを防止できる。
【００１５】
【発明の実施の形態】
以下、本発明の一実施形態を図面を用いて説明する。図１は同実施形態に係る換気扇カバー構造２０を備えた浴室１０を示している。この浴室１０は、パネル等によって四角箱状に形成されており、樹脂製の洗い場フロア１１、壁パネル１２ａ，１２ｂ，１２ｃおよび天井パネル１３ａ，１３ｂを備えている。そして、壁パネル１２ａ，１２ｃ間における図示の手前側部分にも、壁パネル（図示せず）が設けられている。また、壁パネル１２ａの中央部には、窓１３が設けられ、壁パネル１２ｃには開閉式のドアを備えた出入り口１４が設けられている。
【００１６】
洗い場フロア１１における壁パネル１２ａ側部分には、浴槽１５が前後方向（壁パネル１２ａの表面に沿った方向）に長くなるように配置されている。そして、浴槽１５の周縁部上面における後方右側部分に、浴槽１５に湯や水を供給するための水栓１５ａが設けられている。また、壁パネル１２ｂの右側部分には、浴槽１５の上面と略等しい高さに設定されたカウンター１６が設けられ、壁パネル１２ｂにおけるカウンター１６の上方部分に洗面用具や入浴用具を収容するための収容棚１７と鏡１８とが横に並んで取り付けられている。
【００１７】
そして、収容棚１７と鏡１８の上方には、下方に位置するカウンター１６の近傍を照明するための照明装置１９が設けられている。これらの収容棚１７、鏡１８および照明装置１９は一体的に構成されてパネル状に形成されている。また、カウンター１６と鏡１８との間にはカウンター１６で使用する湯や水を供給するための水栓１６ａが設けられている。そして、前記パネルにおける鏡１８の左側部分には、シャワー（図示せず）が保持部材を介して着脱自在に取り付けられている。このシャワーの根元部分は水栓１６ａに連結されており、切替弁を切り換えることにより水栓１６ａとシャワーとを選択して使用できるようになっている。
【００１８】
天井パネル１３ａ，１３ｂは、前方から後方に向って中央部が高くなるように湾曲した略ドーム形に形成されている。また、天井パネル１３ａの高さは天井パネル１３ｂの高さよりもやや高くなるように設定されており、天井パネル１３ａと天井パネル１３ｂとの間に段が形成されている。そして、天井パネル１３ｂにおける天井部の中央側の一端部（壁パネル１２ｂ側の端部）に、換気扇カバー構造２０が設けられている。この換気扇カバー構造２０と天井パネル１３ａとの間に換気用の隙間を形成した状態で、天井パネル１３ａと天井パネル１３ｂとは接合されている。
【００１９】
換気扇カバー構造２０は、図２に示したように構成されている。すなわち、天井パネル１３ｂにおける天井部の中央側の一端部側には、上面が平面部２１に形成された凹部２２が形成され、平面部２１には開口部２１ａが設けられている。
そして、開口部２１ａに下面を露呈させた状態で換気扇２３が取り付けられている。また、凹部２２の下端には、換気扇カバー２４が着脱可能な状態で取り付けられている。
【００２０】
換気扇カバー２４は、図３に示したように構成されており、天井パネル１３ａの下面に沿わせた状態で、天井パネル１３ａ側から天井パネル１３ｂ側にスライド移動させることにより凹部２２の縁部に係合するように構成されている。また、換気扇カバー２４は、図１の状態から、天井パネル１３ａ側に引っ張ることにより、凹部２２から取り外すことができる。そして、平面部２１と換気扇カバー２４との間における天井パネル１３ａ側部分が換気用の隙間に形成されている。
なお、図示していないが、凹部２２の縁部における少なくとも換気扇カバー２４の四隅に対応する部分には、換気扇カバー２４を支持するための支持部が設けられている。
【００２１】
換気扇カバー２４は、天井パネル１３ｂの一部を構成しており、天井パネル１３ｂの下面と連続する曲面からなる下面を備えたパネルで構成されている。そして、換気扇カバー２４の上面の周縁部には、それぞれ堰２５ａ，２５ｂ，２５ｃ，２５ｄが設けられており、上部側（天井部の中央側）の堰２５ａの高さは、他の堰２５ｂ，２５ｃ，２５ｄの高さよりも高くなるように設定されている。そして、下部側の堰２５ｂには、図４に示したように換気扇カバー２４の内部側の面と外部側の面との間を貫通する孔２６が堰２５ｂの長手方向に沿って一定間隔を保って複数個設けられている。
【００２２】
また、換気扇カバー２４の中央部上面には、複数の溝部２７が換気扇カバー２４の上下方向（図３の左右方向）に沿って設けられている。この溝部２７は、図５に示すように断面がＶ形に形成されており、その上端部の幅ａが２ｍｍに設定されている。このため、換気扇２３から結露水等の水が換気扇カバー２４の上面に落下すると、その水は溝部２７に沿って換気扇カバー２４の上面下端側に流れていく。
【００２３】
また、堰２５ｂの先端面と天井パネル１３ｂとの間には、僅かな隙間が設けられており、換気扇カバー２４の上面下端側に流れてきた水が孔２６を通過すると、その水は天井パネル１３ｂに接触して、天井パネル１３ｂ側に流れて行く。そして、その水は、天井パネル１３ｂから壁パネル１２ｂに伝わって下方に流れて行く。
【００２４】
このように、本実施形態に係る換気扇カバー構造２０は構成されているため、入浴中に換気扇２３を作動させることにより、浴室１０内を換気することができる。これによって、結露の発生を最小限に抑えることができる。また、天井パネル１３ａ，１３ｂで湯気が結露したり、シャワー等を使用した際のしぶきが天井パネル１３ａ，１３ｂまで飛んだりした場合には、天井パネル１３ａ，１３ｂの形状が略ドーム状に形成されているため、その水は天井パネル１３ａ，１３ｂの表面（下面）に沿って下方側に流れて行き、壁パネル１２ｂおよび壁パネル１２ｂと対向する壁パネルに沿って下方に流れて行く。
【００２５】
また、換気扇２３から落下してくる結露水や、凹部２２内に飛び散った水は、換気扇カバー２４の上面に落下する。そして、換気扇カバー２４の傾斜面に沿って下端側に流れて行く。この場合、水の大部分は、溝部２７内を流れて行く。そして、水が堰２５ｂまで流れると、孔２６を通過したのち壁パネル１２ｂに沿って下方に流れて行く。このため、天井部から水が落ちて入浴者の頭部や体に当たるといったことが防止される。これによって、入浴者は落水によって不快な思いをすることがなくなる。
【００２６】
図６は、本発明の他の実施形態による換気扇カバー構造が備える換気扇カバー３４の要部を示している。この換気扇カバー３４では、換気扇カバー３４の上面における下端側には堰が設けられてなく、その部分に本発明の水吸収体としてのスポンジ３５が取り付けられている。また、このスポンジ３５は、換気扇カバー３４の本体部分の先端面３４ａよりもやや前方に突出して、天井パネル１３ｂと接触している。この換気扇カバー３４を備えた換気扇カバー構造におけるそれ以外の部分の構成については、前述した換気扇カバー構造２０と同一である。したがって、同一部分に、同一符号を記している。
【００２７】
このように構成したため、換気扇カバー３４の上面に落下した水は、溝部２７に沿って換気扇カバー３４の下部側に流れ、スポンジ３５に吸収される。そして、スポンジ３５内を下部側に向って移動し、天井パネル１３ｂに接触すると、天井パネル１３ｂの表面に沿って下方に流れる。そして、天井パネル１３ｂから壁パネル１２ｂに移動して壁パネル１２ｂの表面に沿って流れる。この換気扇カバー３４を備えた換気扇カバー構造では、換気扇カバー３４の先端部にスポンジ３５を取り付けるだけで流水手段を形成することができるため、換気扇カバー３４の製造が容易になる。この換気扇カバー構造のそれ以外の作用効果については、前述した実施形態と同様である。
【００２８】
図７は、本発明のさらに他の実施形態による換気扇カバー構造が備える換気扇カバー４４の要部を示している。この換気扇カバー４４では、孔４６が設けられた堰４５の端面４５ａに、孔４６と端面４５ａの下端部とを結ぶ複数の縦溝４６ａが一定間隔を保って設けられている。また、換気扇カバー４４は、堰４５の端面４５ａを天井パネル１３ｂと接触させた状態か、または、天井パネル１３ｂとの間に少し隙間を設けた状態で取り付けられる。この換気扇カバー４４を備えた換気扇カバー構造におけるそれ以外の部分の構成については、図１ないし図５に示した前述した換気扇カバー構造２０と同一である。したがって、同一部分に、同一符号を記している。
【００２９】
このように構成したため、換気扇カバー４４の上面に落下した水は、溝部２７に沿って換気扇カバー４４の上面下端側に流れ、孔４６を通過した後に縦溝４６ａに沿って下側に流れ、天井パネル１３ｂに接触すると、天井パネル１３ｂに沿って下方に流れる。そして、天井パネル１３ｂから壁パネル１２ｂに沿って流れる。この換気扇カバー構造では、換気扇カバー４４の端面４５ａと天井パネル１３ｂとの間に隙間がなくなるため、意匠性が向上する。この換気扇カバー構造のそれ以外の作用効果については、前述した換気扇カバー構造２０と同様である。
【００３０】
図８は、本発明のさらに他の実施形態による換気扇カバー構造が備える換気扇カバー５４の要部を示している。この換気扇カバー５４では、孔５６が設けられた堰５５の端面５５ａの下部側部分に、スポンジ５７が取り付けられている。そして、換気扇カバー５４は、堰５５の端面５５ａに取り付けられたスポンジ５７を天井パネル１３ｂに接触させた状態で取り付けられる。この換気扇カバー５４を備えた換気扇カバー構造におけるそれ以外の部分の構成については、前述した換気扇カバー構造２０と同一である。したがって、同一部分に、同一符号を記している。
【００３１】
このように構成したため、換気扇カバー５４の上面に落下した水は、孔５６を通過したのち、スポンジ５７に吸収され、スポンジ５７から天井パネル１３ｂを介して壁パネル１２ｂ側に流れ壁パネル１２ｂの表面に沿って下方に流れる。この換気扇カバー構造によると、換気扇カバー５４の上面に落下した水は、天井パネル１３ｂに接触したスポンジ５７に一旦吸収されたのちに、天井パネル１３ｂを介して壁パネル１２ｂに沿って流れるため、入浴者の頭部等への落水をより確実に防止することができる。この換気扇カバー構造のそれ以外の作用効果については、前述した換気扇カバー構造２０と同様である。
【００３２】
図９は、本発明のさらに他の実施形態による換気扇カバー構造が備える換気扇カバー６４の要部を示している。この換気扇カバー６４では、下部側の堰が設けられてなく、換気扇カバー６４の端面６４ａに、換気扇カバー６４の上面に設けられた溝部６７と連続する縦溝６７ａが設けられている。この場合、換気扇カバー６４は、端面６４ａを天井パネル１３ｂに接触させた状態か、または、天井パネル１３ｂとの間に少し隙間を設けた状態で取り付けられる。この換気扇カバー６４を備えた換気扇カバー構造におけるそれ以外の部分の構成については、前述した各換気扇カバー構造２０等と同一である。これによっても前述した各実施例と同様の作用効果を得ることができる。
【００３３】
図１０は、本発明のさらに他の実施形態による換気扇カバー構造が備える換気扇カバー７１の要部を示している。この換気扇カバー７１では、上面に溝部が設けられてなく、換気扇カバー７１の上面は平面状の傾斜面に形成されている。また、換気扇カバー７１の先端部７２は軟質のゴムで構成されその下部側（先端部）には堰は設けられてない。そして、先端部７２の端面７２ａに、平面視Ｖ形の縦溝７２ｂが設けられている。この縦溝７２ｂにおける端面７２ａとＶ形の奥端部が位置する部分との間の長さｂは１ｍｍに設定されている。
【００３４】
この場合、換気扇カバー７１は、端面７２ａを天井パネル１３ｂにやや押し付けて接触させた状態から、端面７２ａと天井パネル１３ｂとの間に１ｍｍ以下の隙間を設けた状態の間の状態で取り付けられ、縦溝７２ｂの奥端部と天井パネル１３ｂとの間の長さが、０．１〜２．０ｍｍになるように設定する。この換気扇カバー７１を備えた換気扇カバー構造におけるそれ以外の部分の構成については、前述した各換気扇カバー構造２０等と同一である。
【００３５】
これによると、換気扇カバー７１の上面に落下した水は、換気扇カバー７１に溝部が設けられていないため、そのまま換気扇カバー７１の上面を下方に向かって流れ、縦溝７２ｂを通過したのち、天井パネル１３ｂを介して壁パネル１２ｂ側に流れ壁パネル１２ｂに沿って下方に流れる。この場合、縦溝７２ｂの奥端部と天井パネル１３ｂとの間の長さを、０．１〜１．０ｍｍに設定すると、毛細管現象により水を天井パネル１３ｂ側に吸い込む効果が生じ、１〜２ｍｍに設定すると、水滴または水の流れが天井パネル１３ｂの表面に接触して水を天井パネル１３ｂ側に排水する効果を生じる。これによっても前述した各実施例と同様の落水防止の効果を得ることができる。
【００３６】
図１１は、図１０に示した換気扇カバー７１の変形例による換気扇カバー７３を示しており、この換気扇カバー７３では、先端部７４の端面７４ａに設けられた縦溝７４ｂが平面視半円状に形成されている。この縦溝７４ｂにおける端面７４ａと縦溝７４ｂの奥端部が位置する部分との間の長さｃも１ｍｍに設定されている。これによっても、換気扇カバー７１と同様の作用効果を得ることができる。
【００３７】
また、図１２および図１３も、図１０に示した換気扇カバー７１の変形例を示しており、図１２に示した換気扇カバー７５では、先端部７６の端面７６ａに、縦溝に代えて、平面視半円状の突起７６ｂが一定間隔を保って形成されている。
すなわち、この換気扇カバー７５では、突起７６ｂ間の幅広の部分で縦溝が形成されている。この換気扇カバー７５の端面７６ａと突起７６ｂの先端部が位置する部分との間の長さｄも１ｍｍに設定されている。これによると、換気扇カバー７５への落水が多くても、スムーズな排水が可能になる。
【００３８】
また、図１３に示した換気扇カバー７７では、先端部７８の端面７８ａが、縦溝や突起に代えて、平面視波状の凹凸面に形成されている。この換気扇カバー７７では、端面７８ａの凹部で縦溝が形成されている。この換気扇カバー７７の端面７８ａの凹部と突部との間の長さｅは１ｍｍに設定されている。これによっても、換気扇カバー７１等と同様の作用効果を得ることができる。
【００３９】
また、本発明による浴室の換気扇カバー構造は、前述した各実施形態以外についても技術的範囲内で適宜変更実施が可能である。例えば、前述した各実施形態では、換気扇カバー２４等の下端側を天井パネル１３ｂに対向させているが、換気扇カバー２４等の下端側は壁パネル１２ｂに対向させてもよい。また、前述した各実施形態では、天井を、天井パネル１３ａ，１３ｂの２枚の天井パネルによって段が形成されるように略ドーム状に構成しているが、２枚の天井パネルを段が生じないように連結させてもよいし、１枚の天井パネルによって構成してもよい。また、天井パネルを平面状に形成し、換気扇カバーの下端部を壁パネルに対向させて取り付け、換気扇カバーから直接壁パネルに水が伝わるようにしてもよい。
【図面の簡単な説明】
【図１】本発明の一実施形態による換気扇カバー構造を備えた浴室の内部を示す斜視図である。
【図２】図１に示した浴室が備える換気扇カバー構造を示す縦断面図である。
【図３】換気扇カバーを示す斜視図である。
【図４】換気扇カバーの要部を示す縦断面図である。
【図５】換気扇カバーの上面に設けられた溝部を示す縦断面図である。
【図６】他の実施形態による換気扇カバー構造が備える換気扇カバーの要部を示す縦断面図である。
【図７】さらに他の実施形態による換気扇カバー構造が備える換気扇カバーの要部を示す斜視図である。
【図８】さらに他の実施形態による換気扇カバー構造が備える換気扇カバーの要部を示す斜視図である。
【図９】さらに他の実施形態による換気扇カバー構造が備える換気扇カバーの要部を示す斜視図である。
【図１０】さらに他の実施形態による換気扇カバー構造が備える換気扇カバーの要部を示す斜視図である。
【図１１】さらに他の実施形態による換気扇カバー構造が備える換気扇カバーの要部を示す斜視図である。
【図１２】さらに他の実施形態による換気扇カバー構造が備える換気扇カバーの要部を示す斜視図である。
【図１３】さらに他の実施形態による換気扇カバー構造が備える換気扇カバーの要部を示す斜視図である。
【符号の説明】
１０…浴室、１２ａ，１２ｂ，１２ｃ…壁パネル、１３ａ，１３ｂ…天井パネル、２０…換気扇カバー構造、２１ａ…開口部、２３…換気扇、２４，３４，４４，５４，６４，７１，７３，７５，７７…換気扇カバー、２５ｂ，４５，５５…堰、２６，４６，５６…孔、２７，６７…溝部、３５，５７…スポンジ、４５ａ，５５ａ，６４ａ，７２ａ，７４ａ，７６ａ，７８ａ…端面、４６ａ，６７ａ，７２ｂ，７４ｂ…縦溝、７２，７４，７６，７８…先端部、７６ｂ…突起。
【図１】
2004324918.tif 000003
【図２】
2004324918.tif 000004
【図３】
2004324918.tif 000005
【図４】
2004324918.tif 000006
【図５】
2004324918.tif 000007
【図６】
2004324918.tif 000008
【図７】
2004324918.tif 000009
【図８】
2004324918.tif 000010
【図９】
2004324918.tif 000011
【図１０】
2004324918.tif 000012
【図１１】
2004324918.tif 000013
【図１２】
2004324918.tif 000014
【図１３】
2004324918.tif 000015